(57)【要約】【課題】媒体を精度よく切断できる記録装置を提供すること【解決手段】記録装置は、媒体の幅方向Ｘに移動可能に構成され、媒体に画像を記録する記録部２０と、記録部と連結可能に構成され、幅方向に移動することで媒体を切断するカッターユニット７０と、を備え、記録部は、カッターユニットと連結するための第１連結部１３０及び第２連結部１５０を有し、カッターユニットは、第１連結部と係合するための第１係合部１１０と、第２連結部と係合するための第２係合部１２０とを有する。【選択図】図１０
2018161772.tif 000002
【特許請求の範囲】
【請求項１】
媒体の幅方向に移動可能に構成され、前記媒体に画像を記録する記録部と、
前記記録部と連結可能に構成され、前記幅方向に移動することで前記媒体を切断するカッターユニットと、を備え、
前記記録部は、前記カッターユニットと連結するための第１連結部及び第２連結部を有し、
前記カッターユニットは、前記第１連結部と係合するための第１係合部と、前記第２連結部と係合するための第２係合部とを有することを特徴とする記録装置。
【請求項２】
前記記録部と対向するように配置され、前記媒体を支持する支持部材と、
前記記録部と前記支持部材との間の距離を変更するべく、前記幅方向とは異なる方向である接離方向において前記記録部を移動させるための駆動部と、を備えることを特徴とする請求項１に記載の記録装置。
【請求項３】
前記カッターユニットが前記記録部とともに前記幅方向に移動する際に前記第１係合部が接触する前記第１連結部の受止部分は、前記受止部分に接触する前記第１係合部の接触部分よりも、前記接離方向における幅が大きいことを特徴とする請求項２に記載の記録装置。
【請求項４】
前記第２係合部は、前記第２連結部と係合する際に前記第２連結部に挿入される突出片を有し、
前記第２連結部は、前記カッターユニットが前記記録部とともに前記幅方向に移動する際に前記突出片が接触する受止面を有し、
前記突出片及び前記受止面は、前記接離方向において互いに重なるように配置されていることを特徴とする請求項２又は請求項３に記載の記録装置。
【請求項５】
前記カッターユニットは、前記カッターユニット側から前記記録部側に向けて前記第１係合部を押し付ける押付部材を有することを特徴とする請求項１乃至請求項４のうち何れか一項に記載の記録装置。
【請求項６】
前記カッターユニットは、前記媒体を切断するためのカッター刃を保持する保持体と、前記幅方向に移動可能とされ、前記保持体が取り付けられる移動体とを有し、
前記第１係合部及び前記第２係合部のうち少なくとも一方は、前記保持体に設けられていることを特徴とする請求項１乃至請求項５のうち何れか一項に記載の記録装置。
【発明の詳細な説明】
【技術分野】
【０００１】
本発明は、例えばインクジェット式プリンターなどの記録装置に関する。
【背景技術】
【０００２】
媒体に画像を記録する記録部と、記録した媒体を所望のサイズに切断する切断機構とを備える記録装置がある。特許文献１には、記録装置の一例として、インクジェットヘッドなどの印字ヘッドを搭載するヘッドキャリッジと、カッター刃を有するカッターキャリッジとを備えるプリンターが記載されている。ヘッドキャリッジは記録媒体の幅方向に移動可能とされ、カッターキャリッジは係合レバーを介してヘッドキャリッジと連結可能とされている。特許文献１のプリンターは、係合レバーによりカッターキャリッジがヘッドキャリッジと連結した状態で、ヘッドキャリッジとともに記録媒体の幅方向に移動することによって、記録媒体を切断するように構成されている。
【先行技術文献】
【特許文献】
【０００３】
【特許文献１】特開２００３−３２０７２０号公報
【発明の概要】
【発明が解決しようとする課題】
【０００４】
特許文献１に記載されたプリンターの場合、カッターキャリッジが移動する際、係合レバーに負荷が集中するため、その負荷により係合レバーがばたつくことがある。係合レバーがばたつくと、カッターキャリッジとヘッドキャリッジとの間でがたつきが生じ、媒体を精度よく切断できない虞がある。
【０００５】
本発明の目的は、媒体を精度よく切断できる記録装置を提供することにある。
【課題を解決するための手段】
【０００６】
以下、上記課題を解決するための手段及びその作用効果について記載する。
上記課題を解決する記録装置は、媒体の幅方向に移動可能に構成され、前記媒体に画像を記録する記録部と、前記記録部と連結可能に構成され、前記幅方向に移動することで前記媒体を切断するカッターユニットと、を備え、前記記録部は、前記カッターユニットと連結するための第１連結部及び第２連結部を有し、前記カッターユニットは、前記第１連結部と係合するための第１係合部と、前記第２連結部と係合するための第２係合部とを有する。
【０００７】
この構成によれば、第１係合部が第１連結部と係合し、第２係合部が第２連結部と係合することによって、カッターユニットと記録部とが連結される。そのため、カッターユニットと記録部とが互いに連結した状態でカッターユニットが記録部とともに移動する際、その連結部分にかかる負荷が第１係合部と第２係合部とで分散される。すなわち、カッターユニットと記録部との連結を良好に維持できる。したがって、媒体を精度よく切断できる。
【０００８】
上記記録装置においては、前記記録部と対向するように配置され、前記媒体を支持する支持部材と、前記記録部と前記支持部材との間の距離を変更するべく、前記幅方向とは異なる方向である接離方向において前記記録部を移動させるための駆動部と、を備えることが好ましい。
【０００９】
この構成によれば、媒体の厚みに応じて記録部と支持部材との距離を変更することで、媒体に記録される画像の品質を向上できる。
上記記録装置において、前記カッターユニットが前記記録部とともに前記幅方向に移動する際に前記第１係合部が接触する前記第１連結部の受止部分は、前記受止部分に接触する前記第１係合部の接触部分よりも、前記接離方向における幅が大きいことが好ましい。
【００１０】
この構成によれば、駆動部によって記録部が接離方向に変位した場合でも、第１係合部が第１連結部と係合することができる。
上記記録装置において、前記第２係合部は、前記第２連結部と係合する際に前記第２連結部に挿入される突出片を有し、前記第２連結部は、前記カッターユニットが前記記録部とともに前記幅方向に移動する際に前記突出片が接触する受止面を有し、前記突出片及び前記受止面は、前記接離方向において互いに重なるように配置されていることが好ましい。
【００１１】
この構成によれば、駆動部によって記録部が接離方向に変位した場合でも、第２係合部が第２連結部と係合することができる。
上記記録装置において、前記カッターユニットは、前記カッターユニット側から前記記録部側に向けて前記第１係合部を押し付ける押付部材を有することが好ましい。
【００１２】
この構成によれば、第１係合部による第１連結部との係合を強めることができる。
上記記録装置において、前記カッターユニットは、前記媒体を切断するためのカッター刃を保持する保持体と、前記幅方向に移動可能とされ、前記保持体が取り付けられる移動体とを有し、前記第１係合部及び前記第２係合部のうち少なくとも一方は、前記保持体に設けられていることが好ましい。
【００１３】
この構成によれば、移動体から保持体を取り外すことで、第１係合部及び第２係合部のうち少なくとも一方を保持体とともに交換でき、カッターユニットごと交換する構成と比べて、そのメンテナンス性を向上できる。
【図面の簡単な説明】
【００１４】
【図１】切断機構を備える記録装置の一実施形態の内部構造を模式的に示す側面図。
【図２】切断機構の斜視図。
【図３】切断機構の正面図。
【図４】切断機構の側面図。
【図５】切断機構の背面図。
【図６】カッターユニットの斜視図。
【図７】キャリッジの模式斜視図。
【図８】図７における第１連結部及び第２連結部の拡大図。
【図９】第２連結部を下方から見たときのキャリッジの斜視図。
【図１０】カッターユニットが幅方向Ｘの＋Ｘ側から−Ｘ側へ移動する際の斜視図。
【図１１】カッターユニットが幅方向Ｘの−Ｘ側から＋Ｘ側へ移動する際の斜視図。
【図１２】カッターユニットが幅方向Ｘの−Ｘ側から＋Ｘ側へ移動する際の斜視図。
【発明を実施するための形態】
【００１５】
以下、切断機構を備える記録装置の一実施形態について図面を参照しながら説明する。
図１に示すように、記録装置１１は、直方体状の筐体１２を有している。記録装置１１は、筐体１２内に、媒体Ｓに文字、写真等の画像を記録する記録部２０と、媒体Ｓを支持する第１支持部材３１及び第２支持部材３２とを備えている。記録装置１１は、筐体１２内に、媒体Ｓを搬送する搬送部４０と、記録部２０により記録された媒体Ｓを切断する切断機構５０とを備えている。すなわち、記録部２０、第１、第２支持部材３１、３２、搬送部４０、切断機構５０は、筐体１２に収容されている。
【００１６】
筐体１２内には、例えば用紙である媒体Ｓがロール状に巻き重ねられたロール体Ｒが配置されている。ロール体Ｒは、図１において右方となる筐体１２内の後方に配置されている。ロール体Ｒは、媒体Ｓの幅方向Ｘに延びるように設けられた軸１３によって回転可能に支持されている。本実施形態においては、軸１３が図１において反時計回り方向に回転することによって、ロール体Ｒから媒体Ｓが巻き解かれる。巻き解かれた媒体Ｓは、搬送部４０により搬送され、筐体１２の前面１４に開口する排出口１５を通じて筐体１２内から筐体１２外へ排出される。すなわち、本実施形態において、筐体１２の後方から前方に向かう方向、図１において右方から左方に向かう方向が、搬送部４０により搬送される媒体Ｓの搬送方向Ｙとなる。筐体１２の前面１４は、鉛直方向Ｚ及び幅方向Ｘに広がりを有する面である。
【００１７】
記録部２０は、例えばインク等の液体を媒体Ｓに向けて噴射するヘッド２１と、ヘッド２１を搭載するキャリッジ２２とを有している。キャリッジ２２は、筐体１２内に設けられるフレーム１６と、フレーム１６に取り付けられたガイド軸１７とにより支持されている。ガイド軸１７は、媒体Ｓの幅方向Ｘに延びている。キャリッジ２２は、ガイド軸１７に沿って移動可能とされている。すなわち、キャリッジ２２は、幅方向Ｘに移動可能とされている。本実施形態において、キャリッジ２２は、記録部２０が有する移動部の一例として機能する。ヘッド２１は、キャリッジ２２がガイド軸１７に沿って移動することによって、幅方向Ｘの全域に亘って媒体Ｓに液体を噴射可能とされている。
【００１８】
第１、第２支持部材３１、３２は、板状の部材で構成されている。第１支持部材３１は、搬送方向Ｙにおいて第２支持部材３２よりも上流側に配置され、ロール体Ｒから巻き解かれた媒体Ｓを記録部２０に向けて案内する。第２支持部材３２は、記録部２０のヘッド２１と対向するように配置されている。本実施形態における記録装置１１は、記録部２０と第２支持部材３２との間の距離を変更するべく、記録部２０を鉛直方向Ｚにおいて移動させるための駆動部１９を備えている。記録装置１１は、駆動部１９によって、例えば搬送される媒体Ｓの厚みに応じて、第２支持部材３２に対する記録部２０の位置を変更する。すなわち、記録部２０は、第２支持部材３２に対して接近したり離れたりする方向である接離方向に移動可能とされている。本実施形態において、第２支持部材３２に対して記録部２０が接近したり離れたりする接離方向とは、鉛直方向Ｚに一致する。
【００１９】
搬送部４０は、ロール体Ｒから巻き解かれた媒体Ｓを第１、第２支持部材３１、３２に沿うように、筐体１２内から排出口１５に向けて搬送する。搬送部４０は、搬送方向Ｙにおいて、上流側から下流側に向かって順に、第１搬送ローラー対４１、第２搬送ローラー対４２、第３搬送ローラー対４３、第４搬送ローラー対４４を有している。第１搬送ローラー対４１は、搬送方向Ｙにおいて、ヘッド２１よりも上流側に配置され、第１支持部材３１と第２支持部材３２との間となる位置に配置されている。第２、第３、第４搬送ローラー対４２、４３、４４は、搬送方向Ｙにおいて、ヘッド２１よりも下流側に配置されている。
【００２０】
第１、第２、第３、第４搬送ローラー対４１、４２、４３、４４は、図示しないモーターにより駆動回転が可能な駆動ローラー４５と、駆動ローラー４５の回転に対して従動回転が可能な従動ローラー４６とを有している。第１、第２、第３、第４搬送ローラー対４１、４２、４３、４４は、駆動ローラー４５と従動ローラー４６とで媒体Ｓを挟み込んだ状態で回転することによって、媒体Ｓを搬送する。駆動ローラー４５は、媒体Ｓに対して下方から接触するように配置されている。従動ローラー４６は、媒体Ｓに対して上方から接触するように配置されている。すなわち、第２、第３、第４搬送ローラー対４２、４３、４４における従動ローラー４６は、媒体Ｓを搬送する際に、媒体Ｓに対して液体が噴射された面に接触する。そのため、第２、第３、第４搬送ローラー対４２、４３、４４における従動ローラー４６は、媒体Ｓに記録された画像の品質の劣化を低減するべく、媒体Ｓに対して接触面積の小さいスターホイール等で構成されている。第１、第２、第３、第４搬送ローラー対４１、４２、４３、４４は、幅方向Ｘにおいて、所定の間隔をあけてそれぞれ複数配置されている。
【００２１】
切断機構５０は、搬送方向Ｙにおいて、第３搬送ローラー対４３と第４搬送ローラー対４４との間に配置されている。切断機構５０により切断された媒体Ｓは、第４搬送ローラー対４４によって搬送されることで排出口１５から排出される。なお、本実施形態における記録装置１１は、ユーザーが手を排出口１５から筐体１２内に挿し入れることができない程度に、排出口１５の開口における鉛直方向Ｚの間隔が比較的小さく構成されている。
【００２２】
本実施形態における記録装置１１は、通常、水平に広がる床面に設置された状態で使用される。記録装置１１の筐体１２は、その前面１４が床面と交差、理想的には直交するような直方体状をなすように設けられている。このとき、Ｘ軸、Ｙ軸、Ｚ軸の３軸からなる直交座標系を考え、記録装置１１が設置される床面をＸ軸及びＹ軸からなる平面とし、筐体１２の前面１４をＸ軸及びＺ軸からなる平面となるように座標系をとる。すると、幅方向ＸはＸ軸が延びる方向と一致し、搬送方向ＹはＹ軸が延びる方向と一致し、鉛直方向ＺはＺ軸が延びる方向と一致する。幅方向Ｘに延びるＸ軸と、搬送方向Ｙに延びるＹ軸と、鉛直方向Ｚに延びるＺ軸とは、それぞれ互いに直交する関係にある。すなわち、本実施形態において、幅方向Ｘ、搬送方向Ｙ及び鉛直方向Ｚは、それぞれ互いに異なる３つの方向を示している。
【００２３】
次に、切断機構５０について説明する。
図２に示すように、切断機構５０は、媒体Ｓを切断するためのカッター刃５１と、カッター刃５１が取り付けられるカッターユニット７０と、カッターユニット７０を支持するガイドフレーム６０とを有している。ガイドフレーム６０は、幅方向Ｘにおいて、記録装置１１が装填可能なロール体Ｒよりも長尺となるように延びている。すなわち、ガイドフレーム６０の長手方向は、幅方向Ｘと一致する。カッターユニット７０は、ガイドフレーム６０に沿って往復移動することが可能とされている。切断機構５０は、カッターユニット７０がガイドフレーム６０に沿って移動することによって、カッター刃５１により媒体Ｓを切断する。なお、説明の便宜のため、幅方向Ｘにおいて、図２における左側を＋Ｘ側とし、その逆側となる右側を−Ｘ側とする。本実施形態においては、図２に示すように、ガイドフレーム６０において、幅方向Ｘの＋Ｘ側となる端部が、カッターユニット７０のホームポジションＨＰとされている。なお、本実施形態の記録装置１１においては、カッターユニット７０のホームポジションＨＰが位置する側とは逆側となる幅方向Ｘの−Ｘ側の端部が、記録部２０の待機位置とされている。
【００２４】
ガイドフレーム６０は、板金が折り曲げられて構成されている。ガイドフレーム６０は、幅方向Ｘから見たときに鉤爪状をなすように形成されている。ガイドフレーム６０は、底壁６１と、底壁６１から上方に向けて屈曲して延びる前壁６２及び後壁６３を有している。前壁６２は、搬送方向Ｙにおいて後壁６３よりも下流側に位置し、鉛直方向Ｚにおいて後壁６３よりもその長さが短くなるように底壁６１から延びている。
【００２５】
ガイドフレーム６０は、幅方向Ｘに延びるラックギヤ６４を有している。ラックギヤ６４は、ガイドフレーム６０の後壁６３において、搬送方向Ｙの下流側となる面に取り付けられている。ラックギヤ６４は、後壁６３の上縁に沿うように配置され、幅方向Ｘにおける長さがガイドフレーム６０よりも少し短くなるように設けられている。ラックギヤ６４は、その下側となる部分に歯６５を幅方向Ｘに亘って有している。ラックギヤ６４は、その上側となる部分に、カッターユニット７０の移動をガイドするための溝６６を幅方向Ｘに亘って有している。
【００２６】
図２及び図３に示すように、カッターユニット７０は、カッター刃５１を保持する保持体７１と、ガイドフレーム６０に保持される移動体７２とを有している。なお、図２及び図３に示すカッターユニット７０は、ホームポジションＨＰに位置している。保持体７１及び移動体７２は、一体的に取り扱い可能となるように互いに固定されている。保持体７１及び移動体７２は、搬送方向Ｙから見たときに互いに一部分同士が重なるように固定されている。詳述すると、保持体７１及び移動体７２は、保持体７１の下側部分と移動体７２の上側部分とが鉛直方向Ｚにおいて重なるように配置されている。保持体７１は、移動体７２に対して着脱自在であるため、移動体７２に対して交換可能とされている。
【００２７】
保持体７１は、移動体７２において、搬送方向Ｙの下流側となる面に取り付けられている。保持体７１は、鉛直方向Ｚにおいて移動体７２の上方となる位置に、幅方向Ｘに延びる媒体通路７３を有している。媒体通路７３は、カッターユニット７０がガイドフレーム６０に沿って幅方向Ｘに移動する際に、媒体Ｓが保持体７１を通過するための通路である。媒体通路７３は、幅方向Ｘにおいて−Ｘ側となる部分が、媒体通路７３内に媒体Ｓを導入するための導入口７４とされている。導入口７４は、媒体通路７３内に媒体Ｓを導入し易くするために、幅方向Ｘにおいて＋Ｘ側から−Ｘ側に向かうにつれて鉛直方向Ｚにおける開きが徐々に大きくなるように構成されている。
【００２８】
保持体７１は、媒体通路７３においてその途中となる位置にカッター刃５１を保持している。すなわち、媒体通路７３は、カッターユニット７０が幅方向Ｘに移動する際に、媒体Ｓをカッター刃５１に向けて案内する。カッター刃５１は、幅方向Ｘにおいて導入口７４よりも＋Ｘ側に配置され、導入口７４と隣り合うように位置している。カッター刃５１は、円板状の駆動刃５２と従動刃５３とで構成されている。駆動刃５２及び従動刃５３は、保持体７１に対して回転可能に取り付けられている。駆動刃５２及び従動刃５３は、鉛直方向Ｚにおいて並ぶように設けられ、媒体通路７３を挟むように配置されている。駆動刃５２は、鉛直方向Ｚにおいて従動刃５３の下方に位置し、搬送方向Ｙにおいて従動刃５３よりも下流側に位置している。
【００２９】
カッター刃５１は、搬送方向Ｙから見たときに、駆動刃５２の上側部分となる刃先と従動刃５３の下側部分となる刃先とが互いに重なる状態で、保持体７１に保持されている。駆動刃５２の刃先及び従動刃５３の刃先は、刃先同士が重なる部分のうち、幅方向Ｘにおいて−Ｘ側寄りの位置となる切断位置Ｑで互いに接触している。本実施形態における駆動刃５２は、その回転軸が搬送方向Ｙに延びる従動刃５３に対して所定の角度だけ傾いた姿勢で保持体７１に保持されている。カッター刃５１は、駆動刃５２及び従動刃５３が回転することによって、駆動刃５２及び従動刃５３の刃先同士が接触する切断位置Ｑにおいて媒体Ｓを切断する。すなわち、切断機構５０は、カッターユニット７０が幅方向Ｘにおいて＋Ｘ側から−Ｘ側に向けて移動する際に、媒体通路７３を通過する媒体Ｓを、回転する駆動刃５２及び従動刃５３で挟み込むことにより切断する。本実施形態における切断機構５０は、幅方向Ｘにおいて＋Ｘ側から−Ｘ側に向けて移動することで媒体Ｓを切断した後、−Ｘ側から＋Ｘ側に向けて移動することでホームポジションＨＰに戻る。
【００３０】
図３及び図４に示すように、移動体７２は、その下部に、ガイドフレーム６０の前壁６２を挟み込むように配置された第１ローラー８１、第２ローラー８２及び第３ローラー８３を有している。第１、第２ローラー８１、８２は、前壁６２において、搬送方向Ｙの下流側となる面にその周面が接触するように配置されている。第３ローラー８３は、前壁６２において、搬送方向Ｙの上流側となる面にその周面が接触するように配置されている。第１ローラー８１は、移動体７２において、幅方向Ｘの＋Ｘ側となる端部に位置し、第２ローラー８２は、−Ｘ側となる端部に位置している。第３ローラー８３は、幅方向Ｘにおいて第１ローラー８１と第２ローラー８２との間に位置している。第１、第２、第３ローラー８１、８２、８３は、その回転軸が鉛直方向Ｚに延び、移動体７２が幅方向Ｘに移動する際に、前壁６２との摩擦によって回転する。すなわち、第１、第２、第３ローラー８１、８２、８３は、前壁６２に沿ってカッターユニット７０の移動をガイドする。
【００３１】
図４及び図５に示すように、移動体７２は、その上部にラックギヤ６４が有する溝６６に一部分が収まるように配置された第４ローラー８４及び第５ローラー８５を有している。第４、第５ローラー８４、８５は、その周面が溝６６の底面６７に接触するように配置されている。第４ローラー８４は、移動体７２において、幅方向Ｘの−Ｘ側となる端部に位置し、第５ローラー８５は、幅方向Ｘの＋Ｘ側となる端部に位置している。第４、第５ローラー８４、８５は、その回転軸が搬送方向Ｙに延び、移動体７２が幅方向Ｘに移動する際に、溝６６の底面６７との摩擦によって回転する。すなわち、第４、第５ローラー８４、８５は、ラックギヤ６４の溝６６に沿ってカッターユニット７０の移動をガイドする。まとめると、第１、第２、第３、第４、第５ローラー８１、８２、８３、８４、８５は、ガイドフレーム６０に沿ってカッターユニット７０の移動をガイドする。
【００３２】
図４に示すように、移動体７２は、ラックギヤ６４の歯６５と噛み合い可能なピニオンギヤ８６を有している。ピニオンギヤ８６は、移動体７２に対して回転可能に取り付けられている。ピニオンギヤ８６は、カッターユニット７０がガイドフレーム６０に沿って幅方向Ｘに移動する際に、ラックギヤ６４の歯６５と噛み合いながら回転する。カッターユニット７０は、ピニオンギヤ８６の回転を駆動刃５２へ伝達する不図示の伝達ギヤを有している。すなわち、カッターユニット７０は、ガイドフレーム６０に沿って幅方向Ｘに移動する際に、ピニオンギヤ８６の回転に伴って駆動刃５２が回転するように構成されている。本実施形態の図３において、カッターユニット７０が幅方向Ｘの＋Ｘ側から−Ｘ側に向けて移動する際、駆動刃５２は反時計回り方向に回転するように構成されている。従動刃５３は、その刃先が駆動刃５２の刃先と接触することによって、駆動刃５２の回転に従動回転する。すなわち、駆動刃５２及び従動刃５３は、回転しながら、駆動刃５２の刃先と従動刃５３の刃先とで媒体Ｓを挟み込むように切断する。
【００３３】
図６に示すように、保持体７１は、その上部に、カッターユニット７０を記録部２０と連結するための第１係合部１１０及び第２係合部１２０を有している。すなわち、カッターユニット７０は、記録部２０と連結可能に構成されている。カッターユニット７０は、第１、第２係合部１１０、１２０を介して記録部２０と連結されることによって、記録部２０を構成するキャリッジ２２の移動に伴って幅方向Ｘに移動することが可能となる。
【００３４】
第１係合部１１０は、鉛直方向Ｚにおいて第２係合部１２０よりも上方に位置している。第１係合部１１０は、保持体７１から幅方向Ｘの＋Ｘ側に向けて延びるレバー１１１を有している。レバー１１１は、幅方向Ｘにおいて−Ｘ側となる基端が、ジョイント１１２を介して保持体７１に取り付けられている。レバー１１１は、ジョイント１１２を支点として搬送方向Ｙ及び鉛直方向Ｚに揺動可能とされている。レバー１１１は、その基端とは反対側となる先端に、搬送方向Ｙの上流側に向けて延びる係合爪１１３を有している。係合爪１１３は、鉛直方向Ｚにおいて上方から見たときに、略三角形状となるように設けられている。係合爪１１３は、幅方向Ｘにおいて、＋Ｘ側となる部分に平坦面１１４を有し、−Ｘ側となる部分に傾斜面１１５を有している。平坦面１１４は、搬送方向Ｙ及び鉛直方向Ｚにおいて広がりを有する面である。傾斜面１１５は、搬送方向Ｙの上流側から下流側に向けて、幅方向Ｘの＋Ｘ側から−Ｘ側に向かうように斜めに延びる面である。
【００３５】
第１係合部１１０は、レバー１１１においてその基端から先端に向かう途中部分に、搬送方向Ｙの下流側及び鉛直方向Ｚの下側に向けて斜めに延びるアーム１１６を有している。アーム１１６は、レバー１１１において係合爪１１３と隣り合う位置から延びている。第１係合部１１０は、例えばコイルばねで構成される押付部材１１７を備えている。押付部材１１７は、レバー１１１から延びるアーム１１６の先端に取り付けられている。押付部材１１７は、保持体７１において、ジョイント１１２が設けられる位置よりも、搬送方向Ｙの下流側且つ鉛直方向Ｚの下側となる位置に取り付けられている。第１係合部１１０は、押付部材１１７により、レバー１１１がアーム１１６を介して搬送方向Ｙの上流側及び鉛直方向Ｚの上側に向けて押し付けられるように構成されている。すなわち、第１係合部１１０は、押付部材１１７によりジョイント１１２を支点として、係合爪１１３がカッターユニット７０側から記録部２０側へと押し付けられるように構成されている。
【００３６】
第２係合部１２０は、保持体７１から幅方向Ｘの−Ｘ側に向けて延びる板状の突出片１２１を有している。突出片１２１は、幅方向Ｘにおいて−Ｘ側となるその先端部分１２２が、鉛直方向Ｚにおいて第１係合部１１０のレバー１１１と重なるように延びている。
【００３７】
図７に示すように、記録部２０は、カッターユニット７０と連結するための第１連結部１３０及び第２連結部１５０を有している。第１、第２連結部１３０、１５０は、記録部２０を構成するキャリッジ２２に設けられている。第１連結部１３０は、カッターユニット７０が有する第１係合部１１０と係合可能とされている。第２連結部１５０は、カッターユニット７０が有する第２係合部１２０と係合可能とされている。すなわち、第１、第２連結部１３０、１５０に第１、第２係合部１１０、１２０が係合することによって、記録部２０とカッターユニット７０とが連結される。
【００３８】
第１、第２連結部１３０、１５０は、キャリッジ２２において搬送方向Ｙの下流側となる側面２５に設けられている。換言すると、第１、第２連結部１３０、１５０は、搬送方向Ｙにおいて切断機構５０と対向するキャリッジ２２の側面２５に設けられている。なお、図７における記録部２０は、ヘッド２１を省略してキャリッジ２２のみが図示されている。
【００３９】
図８に示すように、第１、第２連結部１３０、１５０は、キャリッジ２２の側面２５において、鉛直方向Ｚにおいて並ぶように配置されている。第１連結部１３０は、キャリッジ２２の側面２５において、第２連結部１５０の直上に位置している。第１連結部１３０は、第１係合部１１０に接触することで第１係合部１１０と係合する。第１連結部１３０は、第１連結部１３０に係合する第１係合部１１０の係合爪１１３を受け止めるための受止部１３１を有している。第１連結部１３０は、第１連結部１３０と第１係合部１１０との係合を解除するべく第１係合部１１０の係合爪１１３を案内する案内部１４１を有している。受止部１３１及び案内部１４１は、キャリッジ２２の側面２５において、幅方向Ｘに並ぶように設けられている。受止部１３１は、案内部１４１よりも幅方向Ｘの＋Ｘ側寄りに配置されている。
【００４０】
受止部１３１は、鉛直方向Ｚに延びる受止リブ１３２と、受止リブ１３２の上部から幅方向Ｘの−Ｘ側に向けて延びる受止壁１３３とを有している。受止部１３１は、受止リブ１３２において幅方向Ｘの＋Ｘ側となる部分から＋Ｘ側に延びる複数の傾斜リブ１３４を有している。傾斜リブ１３４は、キャリッジ２２の側面２５から受止リブ１３２の天面に向けて傾斜しながら延びている。すなわち、受止リブ１３２の天面は、傾斜リブ１３４の天面と連なっている。
【００４１】
受止リブ１３２において幅方向Ｘの−Ｘ側となる壁面１３５は、カッターユニット７０がキャリッジ２２の移動に伴って幅方向Ｘに移動する際に、第１係合部１１０が接触する第１連結部１３０の受止部分として機能する。詳述すると、カッターユニット７０が記録部２０とともに幅方向Ｘに移動する際、第１係合部１１０は、係合爪１１３の平坦面１１４が第１連結部１３０を構成する受止リブ１３２の壁面１３５に接触する。すなわち、係合爪１１３の平坦面１１４は、カッターユニット７０が記録部２０とともに幅方向Ｘに移動する際に、第１連結部１３０の受止部分に接触する接触部分として機能する。本実施形態において、受止部分として機能する受止リブ１３２の壁面１３５は、接触部分として機能する係合爪１１３の平坦面１１４よりも、鉛直方向Ｚにおける幅が広くなるように構成されている。換言すると、受止リブ１３２の壁面１３５は、係合爪１１３の平坦面１１４よりも、接離方向における幅が大きい。
【００４２】
案内部１４１は、鉛直方向Ｚに延びる案内リブ１４２と、案内リブ１４２の上方に位置する案内片１４３とを有している。案内部１４１は、案内リブ１４２の上部と案内片１４３とに連なる傾斜面１４４を有している。案内部１４１は、案内リブ１４２において、幅方向Ｘの＋Ｘ側となる部分から幅方向Ｘに延びる複数の傾斜リブ１４５を有している。案内リブ１４２は、受止部１３１の受止リブ１３２と幅方向Ｘにおいて所定の間隔をあけて配置されている。傾斜リブ１４５は、キャリッジ２２の側面２５から案内リブ１４２の天面に向けて傾斜しながら延びている。すなわち、案内リブ１４２の天面は、傾斜リブ１４５の天面と連なっている。
【００４３】
案内片１４３は、幅方向Ｘの−Ｘ側となる部分を基端部分１４６として、＋Ｘ側に向けて延びている。基端部分１４６は、傾斜面１４４を介して案内リブ１４２の天面と連なっている。案内片１４３において、幅方向Ｘの＋Ｘ側となる部分、すなわち基端部分１４６とは反対側となる先端部分１４７は、幅方向Ｘの−Ｘ側から＋Ｘ側に向けて、鉛直方向Ｚの上側へ斜めに延びている。案内片１４３は、その先端部分１４７が受止リブ１３２の上方に位置するように延びている。
【００４４】
図８及び図９に示すように、第２連結部１５０は、第２係合部１２０が有する突出片１２１を収容可能なホルダー１５１を有している。ホルダー１５１は、キャリッジ２２の側面２５において、その下縁に沿うように配置されている。すなわち、ホルダー１５１は、キャリッジ２２の底面２６と連なるように設けられている。ホルダー１５１は、突出片１２１が挿入されるための溝１５２を有している。溝１５２は、ホルダー１５１において幅方向Ｘの＋Ｘ側となる端面１５３、及びキャリッジ２２の底面２６と連なる鉛直方向Ｚの下側の面に開口するように形成されている。すなわち、第２連結部１５０は、溝１５２を介して突出片１２１をホルダー１５１内に収容することによって、第２係合部１２０と係合する。
【００４５】
ホルダー１５１内において溝１５２を構成する面のうち最奥に位置する面は、カッターユニット７０がキャリッジ２２の移動に伴って幅方向Ｘに移動する際に、第２係合部１２０が接触する受止面１５４とされている。受止面１５４は、ホルダー１５１内において、溝１５２を構成する面のうち幅方向Ｘの−Ｘ側に位置する面である。すなわち、カッターユニット７０が記録部２０とともに幅方向Ｘに移動する際、第２係合部１２０を構成する突出片１２１の先端部分１２２が受止面１５４に接触可能に形成されている。なお、カッターユニット７０が有する第２係合部１２０の突出片１２１と、キャリッジ２２が有する第２連結部１５０の受止面１５４は、それぞれ鉛直方向Ｚに対して、ある程度の長さを持つように構成されている。すなわち、突出片１２１と受止面１５４は、それぞれ接離方向の位置が、ある程度変動しても、接離方向において互いに重なるように配置されているともいえる。
【００４６】
次に、上記のように構成された記録装置１１の作用について、特にカッターユニット７０が幅方向Ｘに移動する場合に着目して説明する。なお、初期状態として、幅方向Ｘにおいて、カッターユニット７０は＋Ｘ側となるホームポジションＨＰに位置し、記録部２０は−Ｘ側となる待機位置に位置している。
【００４７】
切断機構５０が媒体Ｓを切断する際、記録部２０のキャリッジ２２は、カッターユニット７０と連結するために、記録部２０の待機位置からカッターユニット７０のホームポジションＨＰと対応する位置に向けて移動する。キャリッジ２２が待機位置から幅方向Ｘの＋Ｘ側に移動すると、カッターユニット７０が有する第１係合部１１０がキャリッジ２２の側面２５に接触する。具体的には、第１係合部１１０を構成するレバー１１１の係合爪１１３が、キャリッジ２２の側面２５に接触する。このとき、レバー１１１は、押付部材１１７により記録部２０側へ押し付けられている。そのため、キャリッジ２２は、その側面２５に係合爪１１３が押し付けられた状態で、幅方向Ｘの＋Ｘ側に向けて移動する。
【００４８】
側面２５に係合爪１１３が接触した状態でキャリッジ２２が幅方向Ｘの＋Ｘ側に移動すると、係合爪１１３は、キャリッジ２２の側面２５に設けられた第１連結部１３０と接触する。具体的には、係合爪１１３が、第１連結部１３０を構成する傾斜リブ１３４に接触する。係合爪１１３が傾斜リブ１３４に接触した状態でキャリッジ２２が幅方向Ｘの＋Ｘ側にさらに移動すると、係合爪１１３は、傾斜リブ１３４及び受止リブ１３２を乗り越えて、受止リブ１３２と案内リブ１４２との間の側面２５に接触する。このとき、キャリッジ２２は、カッターユニット７０のホームポジションＨＰと対応する位置に位置する。なお、第２係合部１２０の突出片１２１は、キャリッジ２２が幅方向Ｘの＋Ｘ側へ移動することに伴い、第２連結部１５０のホルダー１５１が有する溝１５２に挿入される。すなわち、カッターユニット７０は、記録部２０が幅方向Ｘの＋Ｘ側となる端部に移動することによって、記録部２０と連結される。
【００４９】
図１０に示すように、次に、カッターユニット７０と記録部２０とが連結した状態において、カッターユニット７０を幅方向Ｘの＋Ｘ側から−Ｘ側に向けて移動させるために、キャリッジ２２が−Ｘ側に向けて移動する。幅方向Ｘにおいて＋Ｘ側の端部に位置するキャリッジ２２が−Ｘ側に向けて移動すると、受止リブ１３２の壁面１３５が、受止リブ１３２と案内リブ１４２との間に位置する係合爪１１３に接触する。具体的には、受止リブ１３２の壁面１３５が、係合爪１１３の平坦面１１４に接触する。すなわち、第１係合部１１０の接触部分が、第１連結部１３０の受止部分に接触して受け止められる。このとき、第２係合部１２０の突出片１２１は、ホルダー１５１の溝１５２に対して、その先端部分１２２が受止面１５４に接触しない程度に挿入されている。
【００５０】
受止リブ１３２が係合爪１１３を受け止めることによって、キャリッジ２２の移動に伴い、カッターユニット７０が幅方向Ｘの＋Ｘ側から−Ｘ側へ移動する。カッターユニット７０が幅方向Ｘの＋Ｘ側から−Ｘ側に移動することによって、媒体通路７３を通過する媒体Ｓをカッター刃５１が切断する。
【００５１】
なお、カッターユニット７０が幅方向Ｘの＋Ｘ側から−Ｘ側へ向けて移動する間、受止リブ１３２と接触しているレバー１１１が、押付部材１１７によってジョイント１１２を支点に上側に向けて揺動することがある。係合爪１１３が受止リブ１３２と案内リブ１４２との間に位置する状態でレバー１１１が上側に向けて揺動すると、係合爪１１３の平坦面１１４と受止リブ１３２の壁面１３５との接触を維持できない虞がある。
【００５２】
この点、本実施形態における記録装置１１は、押付部材１１７によって上側に揺動するレバー１１１を受け止めるための受止壁１３３を備えている。係合爪１１３が受止リブ１３２と案内リブ１４２との間に位置する状態で、レバー１１１が押付部材１１７により上側に揺動しても、受止壁１３３によってレバー１１１が受け止められる。すなわち、キャリッジ２２が幅方向Ｘにおいて＋Ｘ側から−Ｘ側に移動する間、受止壁１３３がレバー１１１を受け止めることによって、係合爪１１３の平坦面１１４と受止リブ１３２の壁面１３５との接触が維持される。
【００５３】
カッターユニット７０が媒体Ｓの切断を完了して幅方向Ｘの−Ｘ側への移動を終えると、キャリッジ２２は、カッターユニット７０をホームポジションＨＰに戻すべく、−Ｘ側から＋Ｘ側に向けて移動する。
【００５４】
図１１及び図１２に示すように、キャリッジ２２が幅方向Ｘの＋Ｘ側に移動すると、受止リブ１３２の壁面１３５に接触していた係合爪１１３が、傾斜リブ１４５及び案内リブ１４２を乗り越える。このとき、押付部材１１７がレバー１１１を上側に向けて押し付けることによって、係合爪１１３は、案内リブ１４２の上部から延びる傾斜面１４４に沿って移動し、案内片１４３の基端部分１４６に向けて案内される。なお、キャリッジ２２が幅方向Ｘの＋Ｘ側に移動することによって、第２係合部１２０の突出片１２１は、その先端部分１２２が第２連結部１５０の受止面１５４に接触する。すなわち、第２係合部１２０の突出片１２１が、第２連結部１５０の受止面１５４に接触して受け止められる。ホルダー１５１が突出片１２１を受け止めることによって、キャリッジ２２の移動に伴い、カッターユニット７０が幅方向Ｘの−Ｘ側から＋Ｘ側へ移動する。すなわち、カッターユニット７０は、第２係合部１２０の突出片１２１が、第２連結部１５０の受止面１５４に押されることにより、記録部２０とともに幅方向Ｘの−Ｘ側から＋Ｘ側へ移動する。
【００５５】
キャリッジ２２の移動によりカッターユニット７０がホームポジションＨＰに戻ると、キャリッジ２２は、記録部２０の待機位置に戻るべく、幅方向Ｘの−Ｘ側に向けて移動する。このとき、係合爪１１３は、キャリッジ２２が−Ｘ側に移動することによって案内片１４３の基端部分１４６から先端部分１４７へと案内される。さらにキャリッジ２２が−Ｘ側に移動すると、係合爪１１３は、案内片１４３の先端部分１４７を乗り越え、第１連結部１３０と第１係合部１１０とが接触しない状態となる。すなわち、第１係合部１１０は、案内部１４１に案内されることによって、第１連結部１３０との係合が解除される。なお、第２係合部１２０の突出片１２１は、キャリッジ２２が−Ｘ側に移動することによって、溝１５２から抜き出される。まとめると、カッターユニット７０がホームポジションＨＰに戻った後で記録部２０が待機位置に戻る際、カッターユニット７０と記録部２０との連結が解除される。
【００５６】
要するに、本実施形態におけるカッターユニット７０は、第１連結部１３０と第１係合部１１０とによって、キャリッジ２２とともに幅方向Ｘの＋Ｘ側から−Ｘ側に移動する。本実施形態におけるカッターユニット７０は、第２連結部１５０と第２係合部１２０とによって、キャリッジ２２とともに幅方向Ｘの−Ｘ側から＋Ｘ側に移動する。
【００５７】
上記実施形態によれば、以下のような効果を得ることができる。
（１）第１係合部１１０が第１連結部１３０と係合し、第２係合部１２０が第２連結部１５０と係合することによって、カッターユニット７０と記録部２０とが連結される。そのため、カッターユニット７０と記録部２０とが互いに連結した状態でカッターユニット７０が記録部２０とともに移動する際、その連結部分にかかる負荷が第１係合部１１０と第２係合部１２０とで分散される。すなわち、カッターユニット７０と記録部２０との連結を良好に維持できる。したがって、媒体Ｓを精度よく切断できる。
【００５８】
（２）記録装置１１は、記録部２０と第２支持部材（支持部材）３２との間の距離を変更するべく、鉛直方向（接離方向）Ｚにおいて記録部２０を移動させるための駆動部１９を備える。そのため、媒体Ｓの厚みに応じて記録部２０と第２支持部材３２との距離を変更することで、媒体Ｓに記録される画像の品質を向上できる。
【００５９】
（３）第１連結部１３０の壁面１３５（受止部分）は、第１係合部１１０の平坦面１１４（接触部分）よりも、鉛直方向（接離方向）Ｚにおける幅が大きい。そのため、駆動部１９によって記録部２０が鉛直方向（接離方向）Ｚに変位した場合でも、第１係合部１１０が第１連結部１３０と係合することができる。
【００６０】
（４）突出片１２１及び受止面１５４は、鉛直方向（接離方向）Ｚにおいて互いに重なるように配置されている。そのため、駆動部１９によって記録部２０が鉛直方向（接離方向）Ｚに変位した場合でも、第２係合部１２０が第２連結部１５０と係合することができる。
【００６１】
（５）カッターユニット７０は、カッターユニット７０側から記録部２０側に向けて第１係合部１１０を押し付ける押付部材１１７を有する。そのため、第１係合部１１０による第１連結部１３０との係合を強めることができる。
【００６２】
（６）第１係合部１１０及び第２係合部１２０のうち少なくとも一方は、保持体７１に設けられている。そのため、移動体７２から保持体７１を取り外すことで、第１係合部１１０及び第２係合部１２０のうち少なくとも一方を保持体７１とともに交換でき、カッターユニット７０ごと交換する構成と比べて、そのメンテナンス性を向上できる。
【００６３】
（７）カッターユニット７０が幅方向Ｘに移動する際、媒体Ｓを切断する場合に第１係合部１１０及び第１連結部１３０が作用し、ホームポジションＨＰに戻る場合に第２係合部１２０及び第２連結部１５０が作用する。すなわち、記録部２０に連結させてカッターユニット７０を移動させる際に、その連結部分にかかる負荷を第１係合部１１０と第２係合部１２０とでより効果的に分散できる。
【００６４】
（８）カッターユニット７０が幅方向Ｘの＋Ｘ側から−Ｘ側に向けて移動する際、第２係合部１２０が有する突出片１２１の一部が、第２連結部１５０が有する溝１５２に挿入されている。そのため、カッターユニット７０とガイドフレーム６０との間にがたつきがあったとしても、突出片１２１が第２連結部１５０の溝１５２に挿入されることによって、そうしたがたつきを抑制できる。
【００６５】
なお、上記実施形態は以下のように変更してもよい。また、以下の変更例は適宜組み合わせてもよい。
・第１係合部１１０及び第２係合部１２０のうち少なくとも一方が、カッターユニット７０を構成する移動体７２に設けられていてもよい。
【００６６】
・カッターユニット７０は、保持体７１と移動体７２とが一体的に設けられて構成されていてもよい。
・記録装置１１は、記録部２０と第２支持部材３２との距離を変更するための駆動部１９を備えなくともよい。すなわち、記録部２０と第２支持部材３２との距離を手動で変更可能としてもよい。
【００６７】
・押付部材１１７は、コイルばねに限らず、例えば巻きばねでもよい。また、ばねに限らず、押付部材１１７としてゴム等の弾性体を採用してもよい。
・カッター刃５１は、回転する刃に限らず、固定された刃でもよい。
【００６８】
・媒体Ｓは、用紙に限らず、プラスチックフィル、金属フィルム、布帛などでもよい。
・記録装置１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００６９】
１１…記録装置、１９…駆動部、２０…記録部、２２…キャリッジ、２５…側面、３２…第２支持部材（支持部材）、５１…カッター刃、５２…駆動刃、５３…従動刃、７０…カッターユニット、７１…保持体、７２…移動体、７３…媒体通路、７４…導入口、８１…第１ローラー、８２…第２ローラー、８３…第３ローラー、１１０…第１係合部、１１１…レバー、１１２…ジョイント、１１３…係合爪、１１４…平坦面（接触部分）、１１５…傾斜面、１１６…アーム、１１７…押付部材、１２０…第２係合部、１２１…突出片、１２２…先端部分、１３０…第１連結部、１３１…受止部、１３２…受止リブ、１３３…受止壁、１３４…傾斜リブ、１３５…壁面（受止部分）、１４１…案内部、１４２…案内リブ、１４３…案内片、１４４…傾斜面、１４５…傾斜リブ、１４６…基端部分、１４７…先端部分、１５０…第２連結部、１５１…ホルダー、１５２…溝、１５４…受止面、Ｓ…媒体、Ｘ…幅方向、Ｙ…搬送方向、Ｚ…鉛直方向（接離方向）。
【図１】
2018161772.tif 000003
【図２】
2018161772.tif 000004
【図３】
2018161772.tif 000005
【図４】
2018161772.tif 000006
【図５】
2018161772.tif 000007
【図６】
2018161772.tif 000008
【図７】
2018161772.tif 000009
【図８】
2018161772.tif 000010
【図９】
2018161772.tif 000011
【図１０】
2018161772.tif 000012
【図１１】
2018161772.tif 000013
【図１２】
2018161772.tif 000014